【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
回線交換タイプ（ＣＳ）とパケット交換タイプ（ＰＳ）のネットワークである２つ以上のネットワーク（１１，１２，１３）を有した通信システム内で第１のユーザ機器（１）のネットワークアドレスと端末能力とを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を送信する工程と、
前記第１のユーザ機器（１）の前記要求したネットワークアドレスに関する情報を含む返答を受信する工程とを有し、
前記第１のタイプのネットワーク（１１，１２，１３）を介して、前記第１のユーザ機器（１）の前記第２のタイプのネットワークにおける端末能力を取り出す要求を送信する工程と、
前記第１のユーザ機器（１）の前記要求した端末能力についての返答を受信する工程とを有し、
前記第１のユーザ機器（１）に対して前記ネットワークのアドレスと端末能力についての要求が送信され、前記第１のユーザ機器（１）から前記ネットワークのアドレスと端末能力についての返答が送信され、前記第１のユーザ機器（１）の端末能力を第２のユーザ機器（２）に表示することを特徴とする方法。
【請求項２】
前記返答は前記第１のタイプのネットワーク（１１，１２，１３）を介して送信されることを特徴とする請求項１に記載の方法。
【請求項３】
前記返答は前記第２のタイプのネットワーク（１１，１２，１３）を介して送信されることを特徴とする請求項１に記載の方法。
【請求項４】
前記返答は第３のタイプのネットワーク（１１，１２，１３）を介して送信されることを特徴とする請求項１に記載の方法。
【請求項５】
前記第１のユーザ機器（１）が接続されるのと少なくとも同じネットワーク（１１，１２，１３）に接続された第２のユーザ機器（２）により、前記要求が送信され、前記返答が送信されることを特徴とする請求項１乃至４のいずれか１項に記載の方法。
【請求項６】
回線交換タイプ（ＣＳ）とパケット交換タイプ（ＰＳ）のネットワークである２つ以上のネットワーク（１１，１２，１３）を有した通信システム内で第１のユーザ機器（１）のネットワークアドレスと端末能力とを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を受信する工程と、
前記第１のユーザ機器（１）の前記要求したネットワークアドレスを調べる工程と、
前記第１のユーザ機器（１）の前記調べられたネットワークアドレスを含む返答を送信する工程と、
第１のタイプのネットワーク（１１，１２，１３）を介して、前記第１のユーザ機器（１）の前記第２のタイプのネットワークにおける端末能力を取り出す要求を受信する工程と、
前記第１のユーザ機器（１）の前記要求された端末能力についての返答を送信する工程と、
前記第１のユーザ機器（１）の端末能力を第２のユーザ機器（２）に表示する工程と、を有し、
前記ネットワークのアドレスを取り出す要求と端末能力を取り出す要求を受信する工程と前記調べる工程と前記ネットワークアドレスと端末能力についての返答を送信する工程と、
は、前記第１のユーザ機器（１）により実行されることを特徴とする方法。
【請求項７】
前記調べられた１つ以上の第１のユーザ機器のネットワークアドレスをもつ返答は、前記第１のタイプのネットワーク（１１，１２，１３）、前記第２のタイプのネットワーク（１１）、或は、第３のタイプのネットワーク（１３）を介して受信されることを特徴とする請求項６に記載の方法。
【請求項８】
前記第１のユーザ機器（１）が接続されるのと少なくとも同じネットワーク（１１，１２，１３）に接続されるか、或は含まれる第２のユーザ機器（２）或はネットワークノード（２１，２２，３１，３２，３３）から前記要求が受信され、前記第２のユーザ機器（２）或はネットワークノード（２１，２２，３１，３２，３３）に対して前記返答が送信されることを特徴とする請求項６又は７に記載の方法。
【請求項９】
前記調べる工程は、前記第１のユーザ機器（１）においてアプリケーションをローディングし実行することを特徴とする請求項６乃至８のいずれか１項に記載の方法。
【請求項１０】
前記第１或は第２のユーザ機器（１，２）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項６乃至９のいずれか１項に記載の方法。
【請求項１１】
回線交換タイプ（ＣＳ）とパケット交換タイプ（ＰＳ）のネットワークである２つ以上のネットワーク（１１，１２，１３）を有した通信システムにおいて動作し、第１のユーザ機器（１）のネットワークアドレスと端末能力とを取り出すように構成されたネットワーク装置（２，２１，２２，３１，３２，３３）であって、
前記ネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は前記ネットワーク（１１，１２，１３）の少なくとも１つに接続され、少なくとも１つの接続部（２Ａ，２Ｂ，２Ｃ，２１Ａ，２２Ａ，３１Ａ，３２Ａ，３３Ａ，３３Ｂ）により前記第１のユーザ機器（１）に共通接続され、
前記ネットワーク装置は、
前記接続部（２Ａ，２Ｂ，２Ｃ，２１Ａ，２２Ａ，３１Ａ，３２Ａ，３３Ａ，３３Ｂ）を代表するネットワークインタフェースと協働して、第１のタイプのネットワーク（１１，１２，１３）を介して、前記第１のユーザ機器（１）の前記第１のタイプとは異なる第２のタイプのネットワークのアドレスと端末能力とを取り出す要求を送信し、
前記接続部（２Ａ，２Ｂ，２Ｃ，２１Ａ，２２Ａ，３１Ａ，３２Ａ，３３Ａ，３３Ｂ）と同じ或は別の接続により、前記第１のユーザ機器（１）の前記要求したネットワークアドレスと第２のユーザ機器（２）に表示する端末能力とに関する情報を含む返答を受信する入出力ユニットを有し、
前記装置は、前記第１のユーザ機器（１）に対して前記要求を送信し、前記第１のユーザ機器（１）から前記返答を受信するように構成されていることを特徴とするネットワーク装置。
【請求項１２】
メモリ手段が備えられた処理ユニットは前記要求を生成し、前記返答を処理することを特徴とする請求項１１に記載のネットワーク装置。
【請求項１３】
前記ネットワーク装置は、第２のユーザ機器（２）或はネットワークノード（２１，２２，３１，３２，３３）により代表されることを特徴とする請求項１１又は１２に記載のネットワーク装置。
【請求項１４】
回線交換タイプ（ＣＳ）とパケット交換タイプ（ＰＳ）のネットワークである２つ以上のネットワーク（１１，１２，１３）を有した通信システムに含まれ、第１のユーザ機器（１）のネットワークアドレスと端末能力を提供するように構成されたネットワーク装置であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は、少なくとも１つの接続部（１Ａ，１Ｂ，１Ｃ）により前記２つ以上のネットワークに接続されており、
前記ネットワーク装置は、
第１のタイプのネットワーク（１１，１２，１３）を介して、前記第１のユーザ機器（１）の前記第１のタイプとは異なる第２のタイプのネットワークのアドレスと端末能力とを取り出す要求を受信し、
前記第１のユーザ機器（１）の前記要求したネットワークアドレスを調べ、
前記第１のユーザ機器（１）の前記調べられたネットワークアドレスと第２のユーザ機器（２）に表示する端末能力とを含む返答を送信する処理ユニット及び入出力（Ｉ／Ｏ）ユニットを有し、
前記ネットワーク装置は前記第１のユーザ機器（１）であることを特徴とするネットワーク装置。
【請求項１５】
メモリ手段が備えられた前記処理ユニットは、前記入出力（Ｉ／Ｏ）ユニットを通過した前記要求を処理し、前記要求されたネットワークアドレスを調べ、前記調べた結果を前記入出力（Ｉ／Ｏ）ユニットに提供することを特徴とする請求項１４に記載のネットワーク装置。